(57)【特許請求の範囲】
【請求項１】
紙幣が装填される装填部と、
該装填部に装填された紙幣を一枚ずつ分離して繰り出す分離繰出部と、
該分離繰出部で繰り出された紙幣を搬送する上流側搬送部と、
該上流側搬送部の末端から下側に折り返す、上側搬送構成部および下側搬送構成部を有する折返搬送部と、
前記上流側搬送部で搬送中の紙幣を識別する識別部と、
前記折返搬送部の末端に接続され前記識別部の識別結果に基づいて受け入れ不可と識別された紙幣を機外に取り出し可能とするリジェクト部とを備えた紙幣入金機において、
前記リジェクト部の紙幣受入部と前記折返搬送部の下側搬送構成部とを下搬送ユニットに設けるとともに、
前記リジェクト部の前記紙幣受入部を覆う天井部と前記折返搬送部の上側搬送構成部とを、前記下搬送ユニットに対し開閉可能な上搬送ユニットに設けてなり、
前記折返搬送部の途中から下方に分岐する、前記リジェクト部側の一側搬送構成部および前記リジェクト部とは反対側の他側搬送構成部を有する分岐搬送部と、
該分岐搬送部の末端に接続され前記識別部の識別結果に基づいて受け入れ可能と識別された紙幣を一時貯留させる一時貯留部とを有し、
前記下側搬送構成部の前記分岐搬送部よりも前記リジェクト部とは反対側の反リジェクト部側構成部と前記分岐搬送部の前記他側搬送構成部と前記一時貯留部の紙幣収容部とを前記下搬送ユニットのユニット本体に設けるとともに、
前記リジェクト部の紙幣受入部と前記下側搬送構成部の前記分岐搬送部よりも前記リジェクト部側のリジェクト部側構成部と前記分岐搬送部の前記一側搬送構成部と前記一時貯留部の前記紙幣収容部を覆う天井部とを、前記下搬送ユニットの前記ユニット本体に対し開閉可能な部分開閉ユニットに設けてなることを特徴とする紙幣処理機。
【請求項２】
前記部分開閉ユニットを前記ユニット本体に対し閉状態でロックおよびロック解除するユニットロック手段と、該ユニットロック手段を制御する制御手段とが設けられていることを特徴とする請求項１記載の紙幣処理機。
【請求項３】
前記一時貯留部には紙幣返却用の返却扉と、該返却扉を閉状態でロックおよびロック解除する返却扉ロック手段とが設けられており、前記制御手段は、前記ユニットロック手段のロック解除時に前記返却扉ロック手段によるロックも解除することを特徴とする請求項２記載の紙幣処理機。
【請求項４】
前記リジェクト部および前記一時貯留部のうちの少なくともいずれか一方には、中間位置の紙幣の有無を検出する第１の紙幣検出手段と、該第１の紙幣検出手段よりも奥側の紙幣の有無を検出する第２の紙幣検出手段とが設けられていることを特徴とする請求項１乃至３のいずれか一項記載の紙幣処理機。
【発明の詳細な説明】
【技術分野】
【０００１】
本発明は、紙幣処理機に関し、特にメンテナンス性を向上できる紙幣処理機に関する。
【背景技術】
【０００２】
バラ紙幣が一括して装填部にセットされると、これを分離繰出部で一枚ずつ分離して繰り出し搬送部で搬送して所定の処理を行う紙幣処理機において、ジャムを生じた紙幣を排除するために、分離繰出部に接続された上流側搬送部における下側の搬送ベルト機構に対し上側の搬送ベルト機構を開閉可能に設け、さらにその上側に折り返す折返搬送部における下側の搬送ベルト機構に対し上側の搬送ベルト機構を開閉可能に設けたものがある（例えば、特許文献１参照）。
【特許文献１】実公平１−９８０５号公報
【発明の開示】
【発明が解決しようとする課題】
【０００３】
上記の紙幣処理機では、例えば、上側の折返搬送部におけるその末端のリジェクト部よりも手前側でジャムが生じた場合のメンテナンス性は良好であるが、リジェクト部と折返搬送部との境界位置でジャムが生じた場合にはメンテナンス性が十分に良いとは言えなかった。
【０００４】
したがって、本発明は、リジェクト部と搬送部との境界位置についてもメンテナンス性を向上できる紙幣処理機の提供を目的とする。
【課題を解決するための手段】
【０００５】
上記目的を達成するために、請求項１に係る発明は、紙幣が装填される装填部と、該装填部に装填された紙幣を一枚ずつ分離して繰り出す分離繰出部と、該分離繰出部で繰り出された紙幣を搬送する上流側搬送部と、該上流側搬送部の末端から下側に折り返す、上側搬送構成部および下側搬送構成部を有する折返搬送部と、前記上流側搬送部で搬送中の紙幣を識別する識別部と、前記折返搬送部の末端に接続され前記識別部の識別結果に基づいて受け入れ不可と識別された紙幣を機外に取り出し可能とするリジェクト部とを備えた紙幣入金機において、前記リジェクト部の紙幣受入部と前記折返搬送部の下側搬送構成部とを下搬送ユニットに設けるとともに、前記リジェクト部の前記紙幣受入部を覆う天井部と前記折返搬送部の上側搬送構成部とを、前記下搬送ユニットに対し開閉可能な上搬送ユニットに設けてなり、前記折返搬送部の途中から下方に分岐する、前記リジェクト部側の一側搬送構成部および前記リジェクト部とは反対側の他側搬送構成部を有する分岐搬送部と、該分岐搬送部の末端に接続され前記識別部の識別結果に基づいて受け入れ可能と識別された紙幣を一時貯留させる一時貯留部とを有し、前記下側搬送構成部の前記分岐搬送部よりも前記リジェクト部とは反対側の反リジェクト部側構成部と前記分岐搬送部の前記他側搬送構成部と前記一時貯留部の紙幣収容部とを前記下搬送ユニットのユニット本体に設けるとともに、前記リジェクト部の紙幣受入部と前記下側搬送構成部の前記分岐搬送部よりも前記リジェクト部側のリジェクト部側構成部と前記分岐搬送部の前記一側搬送構成部と前記一時貯留部の前記紙幣収容部を覆う天井部とを、前記下搬送ユニットの前記ユニット本体に対し開閉可能な部分開閉ユニットに設けてなることを特徴としている。
【０００７】
請求項２に係る発明は、請求項１に係る発明において、前記部分開閉ユニットを前記ユニット本体に対し閉状態でロックおよびロック解除するユニットロック手段と、該ユニットロック手段を制御する制御手段とが設けられていることを特徴としている。
【０００８】
請求項３に係る発明は、請求項２に係る発明において、前記一時貯留部には紙幣返却用の返却扉と、該返却扉を閉状態でロックおよびロック解除する返却扉ロック手段とが設けられており、前記制御手段は、前記ユニットロック手段のロック解除時に前記返却扉ロック手段によるロックも解除することを特徴としている。
【０００９】
請求項４に係る発明は、請求項１乃至３のいずれか一項に係る発明において、前記リジェクト部および前記一時貯留部のうちの少なくともいずれか一方には、中間位置の紙幣の有無を検出する第１の紙幣検出手段と、該第１の紙幣検出手段よりも奥側の紙幣の有無を検出する第２の紙幣検出手段とが設けられていることを特徴としている。
【発明の効果】
【００１０】
請求項１に係る発明によれば、下搬送ユニットに対し上搬送ユニットを開くと、下搬送ユニットに設けられたリジェクト部の紙幣受入部と折返搬送部の下側搬送構成部とに対して、上搬送ユニットに設けられたリジェクト部の紙幣受入部を覆う天井部と折返搬送部の上側搬送構成部とを離間させることができる。したがって、折返搬送部だけでなく、折返搬送部とリジェクト部との境界位置、さらにはリジェクト部についてもメンテナンス性を向上できる。
【００１１】
また、下搬送ユニットに対し上搬送ユニットを開いた状態で、さらに下搬送ユニットのユニット本体に対し部分開閉ユニットを開くと、ユニット本体に設けられた分岐搬送部のリジェクト部とは反対側の他側搬送構成部と一時貯留部の紙幣収容部とに対して、部分開閉ユニットに設けられた分岐搬送部のリジェクト部側の一側搬送構成部と一時貯留部の紙幣収容部を覆う天井部とを離間させることができる。したがって、分岐搬送部、分岐搬送部と一時貯留部との境界位置、さらには一時貯留部についてもメンテナンス性を向上できる。
【００１２】
請求項２に係る発明によれば、ユニットロック手段で部分開閉ユニットをユニット本体に対し閉状態でロックすることになり、必要により制御手段が、このユニットロック手段によるロックを解除するため、不必要に部分開閉ユニットがユニット本体に対し開かれてしまうことを防止できる。したがって、一時貯留部への不要なアクセスを規制できる。
【００１３】
請求項３に係る発明によれば、必要により制御手段が、ユニットロック手段によるロックを解除するとき、返却扉ロック手段によるロックも解除するため、ユニット本体に対し部分開閉ユニットを開いて一時貯留部の紙幣収容部に対し天井部を離間させる際に、一時貯留部の返却扉も開放できる。したがって、一時貯留部のメンテナンス性がさらに向上することになる。
【００１４】
請求項４に係る発明によれば、リジェクト部および一時貯留部のうちの少なくともいずれか一方に設けられた第１の紙幣検出手段で紙幣が検出されず、これよりも奥側の紙幣の有無を検出する第２の紙幣検出手段で紙幣が検出されていることで、折り畳まれた紙幣が奥側に残存していることを検出することができる。
【発明を実施するための最良の形態】
【００１５】
本発明の一実施形態の紙幣入金機を図面を参照して以下に説明する。
本実施形態の紙幣入金機１１は、バラの紙幣Ｓを計数して入金および収納する入金収納処理と、バラの紙幣Ｓを計数して返却する計数処理とを行うことが可能とされるものであるが、さらに収納した紙幣Ｓを出金させるもの等、種々の紙幣入金機に適用可能である。
【００１６】
本実施形態の紙幣入金機１１は、図１に概略的に示すように、機体の前面側の上部にバラ紙幣Ｓが投入される装填部１２が設けられ、この装填部１２の下側に機体内からリジェクト紙幣Ｓが繰り出されるリジェクト部１３が設けられている。
【００１７】
装填部１２は、水平に対し若干後ろ下がりに傾斜してその底をなす台部１５を有しており、この台部１５上に紙幣Ｓが上下方向に集積された状態で装填される。なお、台部１５を水平に配置しても良い。
【００１８】
また、装填部１２には、台部１５の機体奥側上方に機体左右方向に沿って配設された回動軸１６と、この回動軸１６に回動可能に支持されて台部１５の上側で上下に揺動可能とされ、台部１５上に装填された紙幣Ｓを台部１５との間で挟持するビルプレス１７とが設けられている。
【００１９】
装填部１２の機体奥側には、このように台部１５上に装填されたバラ紙幣Ｓを、下側のものから一枚ずつ分離して機体内に繰り出す分離繰出部２０が設けられている。この分離繰出部２０は、装填部１２の台部１５に、台部１５から上部を一部突出させた状態で機体左右方向に沿う軸回りに回転可能に設けられた蹴出ローラ２１と、台部１５よりも機体奥側に蹴出ローラ２１と平行な軸回りに回転可能に設けられた繰出ローラ２２と、この繰出ローラ２２の上側に繰出ローラ２２と平行な軸回りに回転可能に設けられた分離ローラ２３とを有している。分離ローラ２３は、図示せぬワンウエイクラッチによって繰出ローラ２２側が機体奥方に移動する方向の回転が規制され、逆方向の回転のみ許容される。
【００２０】
このような分離繰出部２０は、台部１５上に装填されたバラ紙幣Ｓの最下のものを蹴出ローラ２１で繰出ローラ２２と分離ローラ２３との間に蹴り出し、この蹴り出し時に最下の紙幣Ｓに引きずられて繰出ローラ２２と分離ローラ２３との間に移動した紙幣Ｓを分離ローラ２３で止めて蹴り出された最下の紙幣Ｓのみを繰出ローラ２２で機体後方に繰り出す。
【００２１】
この分離繰出部２０の機体奥側には、分離繰出部２０から繰り出された紙幣Ｓを搬送する搬送部２４が接続されている。この搬送部２４は、分離繰出部２０から略水平に沿って機体奥側に延出する上流側搬送部２５と、この上流側搬送部２５の末端から下側に折り返して略水平に沿って機体手前側に延出してその末端においてリジェクト部１３に接続される折返搬送部２６と、この折返搬送部２６の途中から下方に分岐して前下がりに延出する分岐搬送部２７とを有している。そして、上流側搬送部２５には、搬送中の紙幣Ｓの金種、真偽、正損および搬送異常の識別と計数とを行う識別部３０が設けられており、識別部３０で受け入れ不可と識別された紙幣Ｓがこれを機外に取り出し可能とするリジェクト部１３に放出される。
【００２２】
さらに、分岐搬送部２７の末端には、識別部３０で受け入れ可能と識別された紙幣Ｓを一時貯留させる一時貯留部３２が接続されており、一時貯留部３２の下側には、一時貯留部３２に一時貯留された紙幣Ｓを上部開口から受け入れて収納させる収納金庫（収納部）３３が設けられている。
【００２３】
なお、装填部１２には、紙幣Ｓが分離繰出部２０の分離繰出方向に長手方向を沿わせる姿勢で装填されることになり、搬送部２４は紙幣Ｓをその長手方向を搬送方向に沿わせた姿勢で搬送し、その長手方向を放出方向に沿わせた姿勢で一時貯留部３２およびリジェクト部１３のいずれかに放出させる。
【００２４】
上記した搬送部２４のうちの分離繰出部２０に近い上流側搬送部２５は、図２に示すように、紙幣を案内するガイド３４と、繰出ローラ２２と平行な軸回りに回転可能に設けられた複数の搬送ローラ３５とを有する上側搬送構成部３６と、この上側搬送構成部３６の下側に設けられるとともに、紙幣を案内するガイド３７と、繰出ローラ２２と平行な軸回りに回転可能に設けられた複数の搬送ローラ３８とを有する下側搬送構成部３９とを有している。そして、上流側搬送部２５は、上側搬送構成部３６および下側搬送構成部３９の間に分離繰出部２０から繰り出された紙幣Ｓをガイド３４，３７間で案内しつつ複数の搬送ローラ３５および複数の搬送ローラ３８で搬送する。なお、上流側搬送部２５に設けられた識別部３０も搬送される紙幣を間に通過させるように上側識別構成部４１および下側識別構成部４２で構成されている。
【００２５】
また、上記した搬送部２４のうちの折返搬送部２６は、紙幣Ｓを案内する複数のガイド４４と、上記した上流側搬送部２５と共通の搬送ローラ３８と、繰出ローラ２２と平行な軸回りに回転可能に設けられた搬送ローラ４５および放出ローラ４６とを有する上側搬送構成部４７と、この上側搬送構成部４７の下側に設けられるとともに、紙幣Ｓを案内する複数のガイド４９ａ，４９ｂと、繰出ローラ２２と平行な軸回りに回転可能に設けられた複数の搬送ローラ５０ａ，５０ｂ，５０ｃと、羽根車５１と、分岐搬送部２７に対する境界位置に設けられて折返搬送部２６の紙幣Ｓを分岐搬送部２７および折返搬送部２６のリジェクト部１３側に選択的に振り分ける振分部５３とを有する下側搬送構成部５２とを有している。そして、この折返搬送部２６は、上流側搬送部２５で搬送されてきた紙幣Ｓを上側搬送構成部４７および下側搬送構成部５２のガイド４４およびガイド４９ａ，４９ｂ間で案内しつつ複数の搬送ローラ３８，４５，４６および複数の搬送ローラ５０ａ，５０ｂ，５０ｃで搬送して、例えばリジェクト部１３に放出させる。ここで、上記した放出ローラ４６と羽根車５１とが折返搬送部２６の末端にあって紙幣Ｓをリジェクト部１３に放出する放出部５４を構成している。なお、下側搬送構成部５２は、分岐搬送部２７よりもリジェクト部１３とは反対側のガイド４９ａおよび搬送ローラ５０ａ，５０ｂが反リジェクト部側構成部５６とされ、分岐搬送部２７よりもリジェクト部１３側のガイド４９ｂ、搬送ローラ５０ｃおよび羽根車５１がリジェクト部側構成部５７とされている。
【００２６】
リジェクト部１３は、識別部３０の識別結果に基づいて受け入れ不可と識別された紙幣Ｓを機外に取り出し可能に受け入れるもので、上方に開口する有底形状をなして放出部５４から放出された紙幣Ｓを受け入れるトレー状の紙幣受入部６０と、紙幣受入部６０の上部開口の機体奥側を覆う天井部６１と、紙幣受入部６０の上部開口の機体手前側を覆うとともに機体左右方向に沿う回動軸６２を中心に回動して紙幣受入部６０の上部開口を開閉可能な蓋部６３と、紙幣受入部６０の上部開口の蓋部６３と天井部６１との隙間を覆う部分閉塞部６４とを有している。
【００２７】
さらに、上記した搬送部２４のうちの分岐搬送部２７は、折返搬送部２６と共通の振分部５３と、紙幣Ｓを案内するリジェクト部１３側のガイド６７と、繰出ローラ２２と平行なリジェクト部１３側の搬送ローラ６８および放出ローラ６９とを有するリジェクト部１３側の一側搬送構成部７０と、この一側搬送構成部７０のリジェクト部１３とは反対側に設けられて、紙幣Ｓを案内するガイド７２と、折返搬送部２６の下側搬送構成部５２と共通の搬送ローラ５０ｂと、繰出ローラ２２と平行な軸回りに回転可能に設けられた搬送ローラ７３と羽根車７４とを有する他側搬送構成部７５とを有している。そして、分岐搬送部２７は、折返搬送部２６で搬送されてきた紙幣Ｓを振分部５３で一側搬送構成部７０および他側搬送構成部７５のガイド６７，７２間で案内しつつ複数の搬送ローラ５０ｂ，６８，７３で搬送する。ここで、上記した放出ローラ６９と羽根車７４とが分岐搬送部２７の末端にあって紙幣Ｓを一時貯留部３２に放出する放出部７７を構成している。
【００２８】
一時貯留部３２は、識別部３０の識別結果に基づいて受け入れ可能と識別された紙幣を一時貯留させるもので、放出部７７の紙幣放出方向前方に鉛直に立設された前壁部８０と、放出部７７の紙幣放出方向後側に鉛直に立設された後壁部８１と、これら前壁部８０および後壁部８１の左右同側同士を接続させる鉛直に立設された一対の側壁部８２とを有する壁部構成部８３と、壁部構成部８３の下部開口を開閉させるとともに閉時に一時貯留部３２の底部を構成するシャッタ８４とを備えた紙幣収容部８５と、壁部構成部８３つまり紙幣収容部８５の上部開口を覆う天井部８６とを有している。ここで、壁部構成部８３の前壁部８０は、鉛直方向に沿う図示略の回転軸を中心に回転することで機体前方に開閉可能な返却扉８７の一部となっており、返却扉８７を閉状態でロックおよびロック解除する電磁切替式のロック機構（返却扉ロック手段）８８が側壁部８２に設けられている。
【００２９】
そして、ガイド４９ａおよび搬送ローラ５０ａ，５０ｂを有する折返搬送部２６の下側搬送構成部５２の反リジェクト部側構成部５６と、ガイド７２、搬送ローラ７３および羽根車７４を有する分岐搬送部２７の他側搬送構成部７５と、一時貯留部３２の紙幣収容部８５とが、下搬送ユニット９０のユニット本体９１の上部に設けられている。
【００３０】
また、リジェクト部１３の紙幣受入部６０と、ガイド４９ｂ、搬送ローラ５０ｃ、羽根車５１および振分部５３を有する折返搬送部２６の下側搬送構成部５２のリジェクト部側構成部５７と、ガイド６７、搬送ローラ６８および放出ローラ６９を有する分岐搬送部２７の一側搬送構成部７０と、一時貯留部３２の天井部８６とが、ユニット本体９１とは別体とされた下搬送ユニット９０の部分開閉ユニット９２に設けられている。
【００３１】
さらに、複数のガイド４４、搬送ローラ３８，４５および放出ローラ４６を有する折返搬送部２６の上側搬送構成部４７と、装填部１２の台部１５と、分離繰出部２０の蹴出ローラ２１および繰出ローラ２２と、上流側搬送部２５のガイド３７および複数の搬送ローラ３８を有する下側搬送構成部３９と、識別部３０の下側識別構成部４２とが、下搬送ユニット９０とは別体とされた上搬送ユニット９６のユニット本体９７に設けられている。ここで、このユニット本体９７の下面側に折返搬送部２６の上側搬送構成部４７が、ユニット本体９７の上面側に、装填部１２の台部１５と分離繰出部２０の蹴出ローラ２１および繰出ローラ２２と上流側搬送部２５の下側搬送構成部３９とが設けられている。
【００３２】
また、装填部１２のビルプレス１７と、分離繰出部２０の分離ローラ２３と、上流側搬送部２５のガイド３４および複数の搬送ローラ３５を有する上側搬送構成部３６と、識別部３０の上側識別構成部４１とが、ユニット本体９７とは別体とされた上搬送ユニット９６の部分開閉ユニット９８に設けられている。
【００３３】
そして、本実施形態においては、上搬送ユニット９６の部分開閉ユニット９８は、その機体後方に設けられた機体左右方向に沿う回動軸９９において後端部が上搬送ユニット９６のユニット本体９７に回動可能に支持されており、図３に示すように、この回動軸９９を中心に、回動軸９９とは反対側つまり機体手前側を上下させるようにユニット本体９７に対し揺動して開閉する。
【００３４】
また、上搬送ユニット９６のユニット本体９７は、その機体後方に設けられた機体左右方向に沿う回動軸１００において後端部が下搬送ユニット９０のユニット本体９１に回動可能に支持されており、上搬送ユニット９６は、図４に示すように、この回動軸１００を中心に、回動軸１００とは反対側つまり機体手前側を上下させるように下搬送ユニット９０に対し揺動して開閉する。
【００３５】
さらに、下搬送ユニット９０の部分開閉ユニット９２はその機体後方に設けられた機体左右方向に沿う搬送ローラ５０ｂの中心軸１０１に後端部が回動可能に支持されており、図５に示すように、この中心軸１０１を中心に、回動軸１０１とは反対側つまり機体手前側を上下させるようにユニット本体９１に対し揺動して開閉する。
【００３６】
以上により、図４に示すようにリジェクト部１３の紙幣受入部６０と折返搬送部２６の下側搬送構成部５２とが設けられた下搬送ユニット９０に対して、リジェクト部１３の紙幣受入部６０を覆う天井部６１と折返搬送部２６の上側搬送構成部４７とが設けられた上搬送ユニット９６を開閉可能としている。また、図５に示すようにリジェクト部１３の紙幣受入部６０と折返搬送部２６の下側搬送構成部５２の分岐搬送部２７よりもリジェクト部１３側のリジェクト部側構成部５７と分岐搬送部２７のリジェクト部１３側の一側搬送構成部７０と、一時貯留部３２の紙幣収容部８５を覆う天井部８６とを、下搬送ユニット９０のユニット本体９１に対し開閉可能な部分開閉ユニット９２に設けている。
【００３７】
紙幣入金機１１には、図２に示すように、さらに、下搬送ユニット９０のユニット本体９１に対して部分開閉ユニット９２を閉状態でロックおよびロック解除する電磁式のロック機構（ユニットロック手段）１０３が設けられており、リジェクト部１３の中間位置の紙幣の有無を検出する紙幣検出センサ（第１の紙幣検出手段）１０５、リジェクト部１３の紙幣検出センサ１０５よりも放出部５４側つまり奥側の紙幣の有無を検出する紙幣検出センサ（第２の紙幣検出手段）１０６、一時貯留部３２の中間位置の紙幣の有無を検出する紙幣検出センサ（第１の紙幣検出手段）１０７および一時貯留部１３の紙幣検出センサ１０７よりも放出部７７側つまり奥側の紙幣の有無を検出する紙幣検出センサ（第２の紙幣検出手段）１０８が設けられている。加えて、紙幣入金機１１には、図１に示すように、各部を制御する制御部（制御手段）１１０と、操作者への表示を行う表示部１１１と、操作者による操作入力が行われる操作部１１２とが設けられている。
【００３８】
なお、紙幣検出センサ１０５，１０６は、リジェクト部１３の手前の蓋部６３が開かれて紙幣が取り出されたときに、リジェクト部１３の奥側に折り畳まれた紙幣が残存していると、これを、紙幣検出センサ１０５で紙幣が検出されず紙幣検出センサ１０６で紙幣が検出された状態にあることによって検出可能となっている。同様に、紙幣検出センサ１０７，１０８は、一時貯留部３２の手前の返却扉８７が開かれて紙幣Ｓが取り出されたときに、一時貯留部３２の奥側に折り畳まれた紙幣が残存していると、これを、紙幣検出センサ１０７で紙幣が検出されず紙幣検出センサ１０８で紙幣が検出された状態にあることで検出可能となっている。
【００３９】
以上の紙幣入金機１１で紙幣の入金収納処理を行う場合について説明する。
図１に示すように、操作者が装填部１２のビルプレス１７を持ち上げてこれと台部１５との間に紙幣Ｓを、その長手方向を機体前後方向に沿わせた状態で装填する。このとき、金種混合の装填および単一金種の装填のいずれも可能である。そして、操作者が操作部１１２に入金開始を操作を入力すると、制御部１１０が分離繰出部２０と搬送部２４とを駆動する。すると、装填部１２に装填された紙幣Ｓが最下のものから一枚ずつ機内に繰り出され、搬送部２４で搬送される。その途中で識別部３０により受け入れ可能と識別された紙幣Ｓが一時貯留部３２の紙幣収容部８５内に放出されて上下に集積され、それ以外の紙幣Ｓがリジェクト口１３の紙幣受入部６０に放出されて上下に集積される。なお、図２に示すように、リジェクト口１３に放出された紙幣は蓋部６３を開くことでいつでも機外へ取り出し可能となっている。また、紙幣検出センサ１０５，１０６で紙幣が検出されると、制御部１１０は表示部１１１にその旨を表示して、紙幣の返却を促すことになる。
【００４０】
上記のようにして、装填部１２に装填された紙幣が、リジェクト口１３および一時貯留部３２のいずれかに放出されることですべてなくなると、制御部１１０は、分離繰出部２０および搬送部２４を停止させて、識別部３０の識別結果に基づいて一時貯留部３２に一時貯留された紙幣Ｓの識別結果を表示部１１１に表示させる。この表示を見て操作者がキャンセル操作を操作部１１２に入力すると、制御部１１０はロック機構８８のロックを解除して返却扉８７を開放可能とし、操作者が返却扉８７を開いて直接一時貯留部３２の紙幣を機体手前の開口から取り出すことになる。
【００４１】
このようにして、キャンセル操作が操作部１１２に入力された後、制御部１１０は、紙幣検出センサ１０７，１０８で紙幣が検出されているか否かを判定し、紙幣検出センサ１０７，１０８で紙幣が検出されている場合には、その旨を表示部１１１に表示させて操作者に取り出しを促す。操作者はこの表示にしたがって紙幣を一時貯留部３２から取り出すことになる。操作者は紙幣を取り出すと返却扉８７を閉じることになり、ロック機構８８が返却扉８７を閉状態でロックする。
【００４２】
ここで、一時貯留部３２の奥側に折り畳まれた状態で紙幣が残存していると、返却扉８７で開放される一時貯留部３２の機体手前側の開口のみでは、紙幣を取り出し難いことがある。このような状態にあることが、紙幣検出センサ１０７で紙幣が検出されず、かつ紙幣検出センサ１０８で紙幣が検出されていることから確認されると、制御部１１０は、奥側に紙幣が残存していることを表示部１１１に表示させることになり、これを見た操作者が操作部１１１に所定のロック解除操作を行う。すると、制御部１１０は、ロック機構８８による返却扉８７のロックを解除状態にするとともに、ロック機構１０３による部分開閉ユニット９２のロックを解除状態とする。
【００４３】
そして、操作者は、図４に示すように上搬送ユニット９６を下搬送ユニット９０に対し開いた後、図５に示すように下搬送ユニット９０のユニット本体９１に対して部分開閉ユニット９２を開く。これにより、一時貯留部３２の部分開閉ユニット９２に設けられた天井部８６がユニット本体９１に設けられた紙幣収容部８５から離れるとともに、分岐搬送部２７のユニット本体９１に設けられたガイド７２、搬送ローラ５０ｂ，７３および羽根車７４を有する他側搬送構成部７５に対して、分岐搬送部２７の部分開閉ユニット９２に設けられた振分部５３、ガイド６７、搬送ローラ６８および放出ローラ６９を有する一側搬送構成部７０が離れることになる。したがって、紙幣収容部８５は、上方に開口する状態となり、返却扉８７の開放で機体手前側も開放された状態となる。その結果、紙幣収容部８５の奥側に残存している紙幣Ｓを容易に取り出すことができる。
【００４４】
なお、一時貯留部３２にジャムが生じた場合および分岐搬送部２７にジャムが生じた場合についても、同様にして、制御部１１０は、ロック機構８８による返却扉８７のロックを解除状態にするとともに、ロック機構１０３による部分開閉ユニット９２のロックを解除状態とすることになり、操作者が、図４に示すように上搬送ユニット９６を下搬送ユニット９０に対し開いた後、図５に示すように下搬送ユニット９０のユニット本体９１に対して部分開閉ユニット９２を開く。すると、ユニット本体９１に設けられた一時貯留部３２の紙幣収容部８５と、分岐搬送部２７のユニット本体９１に設けられたガイド７２、搬送ローラ５０ｂ，７３および羽根車７４を有する他側搬送構成部７５とに対して、部分開閉ユニット９２に設けられた一時貯留部３２の天井部８６と、分岐搬送部２７の振分部５３、ガイド６７、搬送ローラ６８および放出ローラ６９を有する一側搬送構成部７０とが離れることになって、一時貯留部３２からこれに繋がる分岐搬送部２７の全体が上下両側に分離され、返却扉８７の開放で一時貯留部３２の機体手前側が開放された状態となる。よって、ジャム紙幣の排除等のメンテナンスが容易となる。
【００４５】
他方、一時貯留部３２に一時貯留された紙幣の識別結果の表示部１１１への表示を見て操作者が承認操作を操作部１１２に入力すると、制御部１１０は、一時貯留部３２のシャッタ８４を開作動させる。すると、シャッタ８４で開放された一時貯留部３２の下部開口から、紙幣Ｓが下方に落下して、収納金庫３３に収納されることになる。
【００４６】
このようにして、承認操作が操作部１１２に入力された後、制御部１１０は、紙幣検出センサ１０５，１０６で紙幣が検出されているか否かを判定し、紙幣検出センサ１０６，１０７で紙幣が検出されている場合には、その旨を表示部１１１に表示させて操作者に取り出しを促す。操作者はこの表示にしたがってリジェクト部１３から紙幣を取り出すことになる。
【００４７】
ここで、リジェクト部１３の奥側に折り畳まれた状態で紙幣が残存していると、蓋部６３で開放されるリジェクト部１３の機体手前側の開口のみでは、紙幣を取り出し難いことがある。このような状態にあることが、紙幣検出センサ１０５で紙幣が検出されず、かつ紙幣検出センサ１０６で紙幣が検出されていることから確認されると、制御部１１０は、奥側に紙幣が残存していることを表示部１１１に表示させることになり、これを見た操作者は、図４に示すように上搬送ユニット９６を下搬送ユニット９０に対し開く。これにより、リジェクト部１３の上搬送ユニット９６に設けられた天井部６１が下搬送ユニット９０に設けられた紙幣受入部６０から離れるとともに、下搬送ユニット９０に設けられた折返搬送部２６のガイド４９ａ，４９ｂ、搬送ローラ５０ａ，５０ｂ，５０ｃ、羽根車５１および振分部５３を有する下側搬送構成部５２に対して、上搬送ユニット９６に設けられたガイド４４、搬送ローラ３８，４５および放出ローラ４６を有する上側搬送構成部４７が離れることになる。したがって、紙幣受入部６０は、上方に開口する状態となる。その結果、紙幣受入部６０の奥側に残存している紙幣を容易に取り出すことができる。
【００４８】
なお、リジェクト部１３にジャムが生じた場合および折返搬送部２６にジャムが生じた場合についても、同様にして、上搬送ユニット９６を下搬送ユニット９０に対し開くことで、下搬送ユニット９０に設けられたリジェクト部１３の紙幣受入部６０と、折返搬送部２６のガイド４９ａ，４９ｂ、搬送ローラ５０ａ，５０ｂ，５０ｃ、羽根車５１および振分部５３を有する下側搬送構成部５２とに対して、上搬送ユニット９６に設けられたリジェクト部１３の天井部６１と、ガイド４４、搬送ローラ３８，４５および放出ローラ４６を有する上側搬送構成部４７とが離れることになって、リジェクト部１３からこれに繋がる折返搬送部２６の全体が上下両側に分離され、よって、ジャム紙幣の排除等のメンテナンスが容易となる。なお、このとき、制御部１１０は、ロック機構８８による返却扉８７のロック状態を維持し、ロック機構１０３による部分開閉ユニット９２のロック状態を維持して、一時貯留部３２へのアクセスを規制する。これにより、一時貯留部３２に計数済みの紙幣があるときにこれが取り出される等して違算が生じてしまうのを防止する。
【００４９】
また、分離繰出部２０にジャムが生じた場合および上流側搬送部２５にジャムが発生した場合には、図３に示すように上搬送ユニット９６のユニット本体９７に対して部分開閉ユニット９８を開くことで、ユニット本体９７に設けられた装填部１２の台部１５と、分離繰出部２０の蹴出ローラ２１および分離ローラ２３と、上流側搬送部２５のガイド３７および搬送ローラ３８を有する下側搬送構成部３９と、識別部３０の下側識別構成部４２とに対して、部分開閉ユニット９８に設けられた装填部１２のビルプレス１７と、分離繰出部２０の分離ローラ２３と、上流側搬送部２５のガイド３４および搬送ローラ３５を有する上側搬送構成部３６と、識別部３０の上側識別構成部４１とが離れることになって、装填部１２からこれに繋がる分離繰出部２０、さらに繋がる上流側搬送部２５の全体が上下両側に分離され、よって、ジャム紙幣の排除等のメンテナンスが容易となる。
【００５０】
なお、以上の紙幣入金機１１で紙幣の計数処理を行う場合は、上記と同様に、装填部１２に装填された紙幣Ｓがすべてリジェクト部１３および一時貯留部３２に搬送されたら、一時貯留部３２から収納金庫３３に紙幣を収納せずに、ロック機構８８によるロックを解除し返却扉８７を開いて一時貯留部３２の紙幣を操作者に返却することになる。この計数処理の最中にジャム等が生じた場合も、上記と同様にして、上搬送ユニット９６の部分開閉ユニット９８をユニット本体９７に対して開いたり、上搬送ユニット９６を下搬送ユニット９０に対して開いたり、下搬送ユニット９０の部分開閉ユニット９２をユニット本体９１に対して開いたりすることで、容易にジャム紙幣を排除できる。このときも、上搬送ユニット９６の部分開閉ユニット９８をユニット本体９７に対して開くときと、上搬送ユニット９６を下搬送ユニット９０に対して開くときとについては、制御部１１０は、ロック機構８８による返却扉８７のロック状態を維持し、ロック機構１０３による部分開閉ユニット９２のロック状態を維持して、一時貯留部３２へのアクセスを規制する。他方、下搬送ユニット９０の部分開閉ユニット９２をユニット本体９１に対して開く場合に限って、ロック機構８８による返却扉８７のロックを解除し、ロック機構１０３による部分開閉ユニット９２のロックを解除する。
【００５１】
以上に述べた本実施形態の紙幣入金機１１によれば、図４に示すように、下搬送ユニット９０に対し上搬送ユニット９６を開くと、下搬送ユニット９０に設けられたリジェクト部１３の紙幣受入部６０と折返搬送部２６の下側搬送構成部５２とに対して、上搬送ユニット９６に設けられたリジェクト部１３の紙幣受入部６０を覆う天井部６１と折返搬送部２６の上側搬送構成部４７とを離間させることができる。したがって、折返搬送部２６だけでなく、折返搬送部２６とリジェクト部１３との境界位置、さらにはリジェクト部１３についてもメンテナンス性を向上できる。
【００５２】
また、下搬送ユニット９０に対し上搬送ユニット９６を開いた状態で、図５に示すように、さらに下搬送ユニット９０のユニット本体９１に対し部分開閉ユニット９２を開くと、ユニット本体９１に設けられた分岐搬送部２７のリジェクト部１３とは反対側の他側搬送構成部７５と一時貯留部３２の紙幣収容部８５とに対して、部分開閉ユニット９２に設けられた分岐搬送部２６のリジェクト部１３側の一側搬送構成部７０と一時貯留部３２の紙幣収容部８５を覆う天井部８６とを離間させることができる。したがって、分岐搬送部２７、分岐搬送部２７と一時貯留部３２との境界位置、さらには一時貯留部３２についてもメンテナンス性を向上できる。
【００５３】
さらに、ロック機構１０３で下搬送ユニット９０の部分開閉ユニット９２をユニット本体９１に対し閉状態でロックすることになり、必要により制御部１１０が、このロック機構１０３によるロックを解除するため、不必要に部分開閉ユニット９２がユニット本体９１に対し開かれてしまうことを防止できる。したがって、一時貯留部３２への不要なアクセスを規制できる。
【００５４】
加えて、必要により制御部１１０が、ロック機構１０３による下搬送ユニット９０のユニット本体９１に対する部分開閉ユニット９２の閉状態でのロックを解除するとき、ロック機構８８による返却扉８７の閉状態でのロックを解除するため、ユニット本体９１に対し部分開閉ユニット９２を開いて一時貯留部３２の紙幣収容部８５に対し天井部８６を離間させる際に、一時貯留部３２の返却扉８７も開放できる。したがって、一時貯留部３２が上方から前方にかけて連続して開口することになるため、メンテナンス性がさらに向上することになる。
【００５５】
さらに、リジェクト部１３においては、紙幣検出センサ１０５で紙幣が検出されず、これよりも奥側の紙幣検出センサ１０６で紙幣が検出されていることで、折り畳まれた紙幣が奥側つまり放出部５４側に残存していることを良好に検出することができ、一時貯留部３２においても、紙幣検出センサ１０７で紙幣が検出されず、これよりも奥側の紙幣検出センサ１０８で紙幣が検出されていることで、折り畳まれた紙幣が一時貯留部３２の奥側つまり放出部７７側に残存していることを良好に検出することができる。
【図面の簡単な説明】
【００５６】
【図１】本発明の一実施形態の紙幣処理機を概略的に示す側断面図である。
【図２】本発明の一実施形態の紙幣処理機の要部を示す側断面図である。
【図３】本発明の一実施形態の紙幣処理機の要部を示す側断面図であって上搬送ユニットのユニット本体に対し部分開閉ユニットが開かれた状態を示すものである。
【図４】本発明の一実施形態の紙幣処理機の要部を示す側断面図であって下搬送ユニットに対し上搬送ユニットが開かれた状態を示すものである。
【図５】本発明の一実施形態の紙幣処理機の要部を示す側断面図であって下搬送ユニットのユニット本体に対し部分開閉ユニットが開かれた状態を示すものである。
【符号の説明】
【００５７】
Ｓ  紙幣
１１  紙幣入金機
１２  装填部
１３  リジェクト部
２０  分離繰出部
２５  上流側搬送部
２６  折返搬送部
２７  分岐搬送部
３０  識別部
３２  一時貯留部
４７  上側搬送構成部
５２  下側搬送構成部
５６  反リジェクト部側構成部
５７  リジェクト部側構成部
６０  紙幣受入部
６１  天井部
７０  一側搬送構成部
７５  他側搬送構成部
８５  紙幣収容部
８６  天井部
８７  返却扉
８８  ロック機構（返却扉ロック手段）
９０  下搬送ユニット
９１  ユニット本体
９２  部分開閉ユニット
９６  上搬送ユニット
１０３  ロック機構（ユニットロック手段）
１０５  紙幣検出センサ（第１の紙幣検出手段）
１０６  紙幣検出センサ（第２の紙幣検出手段）
１０７  紙幣検出センサ（第１の紙幣検出手段）
１０８  紙幣検出センサ（第２の紙幣検出手段）
１１０  制御部（制御手段）
【図１】
0004791149.tif 000002
【図２】
0004791149.tif 000003
【図３】
0004791149.tif 000004
【図４】
0004791149.tif 000005
【図５】
0004791149.tif 000006